【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
送信のために第1のタイミング構成を使用するか、第2のタイミング構成を使用するかを決定するステップであって、前記第1のタイミング構成が、ダウンリンク通信と応答アップリンク通信との間の第1の時間差を含み、前記第2のタイミング構成が、前記ダウンリンク通信と前記応答アップリンク通信との間の第2の時間差を含み、前記第2の時間差が、前記第1の時間差未満であり、前記第2のタイミング構成が、チャネル状態情報(CSI)を更新するための周期性に関連付けられ、前記決定が、前記第1の時間差または前記第2の時間差内で前記応答アップリンク通信を送信するための、ユーザ機器(UE)の能力に少なくとも部分的に基づく、ステップと、
前記決定に基づいて、前記第1のタイミング構成または前記第2のタイミング構成に従って送信するステップと
を含む方法。
【請求項２】
前記ダウンリンク通信がアップリンク許可を含み、前記応答アップリンク通信が、前記アップリンク許可において識別されたリソースを使用する、請求項1に記載の方法。
【請求項３】
前記ダウンリンク通信がダウンリンクデータを含み、前記応答アップリンク通信が、前記ダウンリンクデータの受信の成功の肯定応答フィードバックを提供する、請求項1に記載の方法。
【請求項４】
前記方法が、
ダウンリンク制御チャネルの共通探索空間において、前記ダウンリンク通信のためのダウンリンク制御情報(DCI)を受信するステップ
をさらに含み、
前記第1のタイミング構成または前記第2のタイミング構成に従って送信するステップが、前記共通探索空間における前記ダウンリンク通信のための前記DCIの受信に応答して、前記第1のタイミング構成に従って送信するステップを含む、請求項1に記載の方法。
【請求項５】
前記方法が、
ダウンリンク制御チャネルのUE固有探索空間において、前記ダウンリンク通信のためのダウンリンク制御情報(DCI)を受信するステップ
をさらに含み、
前記第1のタイミング構成または前記第2のタイミング構成に従って送信するステップが、前記UE固有探索空間における前記ダウンリンク通信のための前記DCIの受信に応答して、前記第2のタイミング構成に従って送信するステップを含む、請求項1に記載の方法。
【請求項６】
前記方法が、
前記ダウンリンク通信のためのダウンリンク制御情報(DCI)を受信するステップ
をさらに含み、
前記第1のタイミング構成または前記第2のタイミング構成に従って送信するステップが、さらに前記DCIのフォーマットに少なくとも部分的に基づく、請求項1に記載の方法。
【請求項７】
送信する前記ステップが、
利用可能なDCIフォーマットのセットの第1のサブセットのために、前記第1のタイミング構成に従って送信するステップと、
前記利用可能なDCIフォーマットのセットの第2のサブセットのために、前記第2のタイミング構成に従って送信するステップと
を含む、請求項6に記載の方法。
【請求項８】
送信する前記ステップが、
前記ダウンリンク通信が、システム情報ブロック(SIB)送信、ランダムアクセス送信、または複数の受信機に送信されたブロードキャスト送信のうちの1つまたは複数を備えると決定するステップと、
前記決定に応答して、前記第1のタイミング構成に従って送信するステップと
を含む、請求項1に記載の方法。
【請求項９】
前記第2のタイミング構成を決定するステップが、
前記応答アップリンク通信のために利用可能な最大タイミングアドバンス(TA)を識別するステップと、
前記最大TAに少なくとも部分的に基づいて、前記第2のタイミング構成を決定するステップと
を含む、請求項1に記載の方法。
【請求項１０】
前記第2のタイミング構成を決定するステップが、
前記応答アップリンク通信のために利用可能な最大トランスポートブロックサイズ(TBS)を識別するステップと、
前記最大TAと前記最大TBSとに少なくとも部分的に基づいて、前記第2のタイミング構成を決定するステップと
をさらに含む、請求項9に記載の方法。
【請求項１１】
サブフレーム全体に及ぶ制御チャネルにおいて、前記ダウンリンク通信に関連付けられた制御情報を受信するステップと、
前記受信に少なくとも部分的に基づいて、前記応答アップリンク通信のために前記第1のタイミング構成を決定するステップと
をさらに含む、請求項1に記載の方法。
【請求項１２】
サブフレームのシンボルのサブセットに及ぶ制御チャネルにおいて、前記ダウンリンク通信に関連付けられた制御情報を受信するステップと、
前記受信に少なくとも部分的に基づいて、前記応答アップリンク通信のために前記第2のタイミング構成を決定するステップと
をさらに含む、請求項1に記載の方法。
【請求項１３】
前記第1の時間差または前記第2の時間差内で前記応答アップリンク通信を送信するための、前記UEの前記能力の指示を、前記UEによって送信するステップ
をさらに含む、請求項1に記載の方法。
【請求項１４】
前記第1の時間差または前記第2の時間差内で前記応答アップリンク通信を送信するための、前記UEの前記能力の指示を、前記UEから受信するステップ
をさらに含む、請求項1に記載の方法。
【請求項１５】
前記第2のタイミング構成のために利用可能な最大トランスポートブロックサイズ(TBS)が、前記第1の時間差または前記第2の時間差内で前記応答アップリンク通信を送信するための、前記UEの前記能力の指示に少なくとも部分的に基づいて決定される、請求項1に記載の方法。
【請求項１６】
前記第2のタイミング構成のために利用可能な最大トランスポートブロックサイズ(TBS)が、前記UEによって受信され得る同時送信の数に少なくとも部分的に基づいて決定される、請求項1に記載の方法。
【請求項１７】
アップリンク通信と応答ダウンリンク通信との間の第3の時間差を含む、第3のタイミング構成を決定するステップであって、前記第3の時間差が、前記第1の時間差未満である、ステップ
をさらに含む、請求項1に記載の方法。
【請求項１８】
前記ダウンリンク通信と前記応答アップリンク通信との間の第3の時間差を含む、第3のタイミング構成を決定するステップであって、前記第3の時間差が、前記第1の時間差未満である、ステップ
をさらに含む、請求項1に記載の方法。
【請求項１９】
前記第3の時間差が、前記第2の時間差以下である、請求項18に記載の方法。
【請求項２０】
前記ダウンリンク通信が、アップリンク許可において識別されたワイヤレスリソースを使用して送信されるべき肯定応答受信フィードバックに関連付けられた最新のサブフレーム以降に提供される、前記アップリンク許可を備える、請求項18に記載の方法。
【請求項２１】
前記ダウンリンク通信がアップリンク許可を備え、前記応答アップリンク通信がアップリンクデータメッセージを備え、前記方法が、
前記第1のタイミング構成を使用するか、前記第2のタイミング構成を使用するかの前記決定に少なくとも部分的に基づいて、前記第1の時間差または前記第2の時間差が、別のダウンリンク通信および別の応答アップリンク通信に一緒に適用されると決定するステップであって、前記別のダウンリンク通信が、ダウンリンク許可を備え、前記別の応答アップリンク通信が、前記ダウンリンク許可に応答するフィードバックを備える、ステップ
をさらに含む、請求項1に記載の方法。
【請求項２２】
前記第1のタイミング構成または前記第2のタイミング構成を示す、無線リソース制御(RRC)シグナリングを受信するステップと、
前記RRCシグナリングに少なくとも部分的に基づいて、複数の送信時間間隔(TTI)の各々のために、前記第1のタイミング構成または前記第2のタイミング構成を決定するステップと
をさらに含む、請求項1に記載の方法。
【請求項２３】
前記ダウンリンク通信が、物理ダウンリンク共有チャネル(PDSCH)送信であり、前記応答アップリンク通信が、前記PDSCH送信に関連付けられた非同期ハイブリッド自動再送要求(HARQ)フィードバックの送信である、請求項1に記載の方法。
【請求項２４】
前記第1のタイミング構成に関連付けられたHARQプロセスの第1の数が、前記第2のタイミング構成に関連付けられたHARQプロセスの第2の数よりも大きい、請求項23に記載の方法。
【請求項２５】
送信のために前記第1のタイミング構成を使用するか、前記第2のタイミング構成を使用するかの決定に少なくとも部分的に基づいて、前記第1のタイミング構成が非同期アップリンクハイブリッド自動再送要求(HARQ)フィードバックに適用されるか、前記第2のタイミング構成が非同期アップリンクHARQフィードバックに適用されるかを決定するステップ
をさらに含む、請求項1に記載の方法。
【請求項２６】
前記非同期HARQフィードバックのためのHARQプロセスの数が8である、請求項25に記載の方法。
【請求項２７】
前記ダウンリンク通信が、共通探索空間においてダウンリンク許可を備えるか、UE固有探索空間においてダウンリンク許可を備えるかに少なくとも部分的に基づいて、同期アップリンクハイブリッド自動再送要求(HARQ)フィードバック方式を使用するか、非同期アップリンクHARQフィードバック方式を使用するかを決定するステップ
をさらに含む、請求項1に記載の方法。
【請求項２８】
前記第2のタイミング構成に少なくとも部分的に基づいて、ダウンリンク制御チャネル送信における前記応答アップリンク通信のための制御チャネルリソースのロケーションを識別するステップであって、第1のUE固有オフセットが、前記第1のタイミング構成に関連付けられ、第2のUE固有オフセットが、前記第2のタイミング構成に関連付けられる、ステップ
をさらに含む、請求項1に記載の方法。
【請求項２９】
前記第2のタイミング構成を決定するステップが、
前記第2のタイミング構成に少なくとも部分的に基づいて、前記CSIを更新するための前記周期性を識別するステップ
をさらに含む、請求項1に記載の方法。
【請求項３０】
前記CSIを更新するための前記周期性を識別するステップが、CSIプロセスの数、CSI報告タイプ、または基準測定サブフレームのうちの1つまたは複数を識別するステップを含む、請求項29に記載の方法。
【請求項３１】
前記第2のタイミング構成を決定するステップが、
前記第2のタイミング構成のためにサポートされたCSIプロセスの数に少なくとも部分的に基づいて、非周期CSI構成を決定するステップ
をさらに含む、請求項1に記載の方法。
【請求項３２】
前記第2のタイミング構成を決定するステップが、
前記第2のタイミング構成に少なくとも部分的に基づいて、サウンディング基準信号(SRS)パラメータを識別するステップ
をさらに含む、請求項1に記載の方法。
【請求項３３】
前記SRSパラメータが、前記第2のタイミング構成に基づいて、非周期SRS送信を構成する、請求項32に記載の方法。
【請求項３４】
前記ダウンリンク通信のためのダウンリンク制御情報(DCI)を受信するステップと、
前記DCIの下で、SRS送信および物理アップリンク共有チャネル(PUSCH)送信のために、異なるタイミングを構成するステップと
をさらに含む、請求項1に記載の方法。
【請求項３５】
前記ダウンリンク通信が、コンポーネントキャリアのセットを使用して送信され、
前記第1のタイミング構成を決定するステップが、前記コンポーネントキャリアのセットの第1のサブセットのために、前記第1のタイミング構成を決定するステップを含み、
前記第2のタイミング構成を決定するステップが、前記コンポーネントキャリアのセットの第2のサブセットのために、前記第2のタイミング構成を決定するステップを含む、請求項1に記載の方法。
【請求項３６】
前記コンポーネントキャリアの第1のサブセットおよび前記コンポーネントキャリアの第2のサブセットの各々が、前記第2のタイミング構成をサポートするか否かを決定するステップと、
前記コンポーネントキャリアの第1のサブセットおよび前記コンポーネントキャリアの第2のサブセットの各々が、前記第2のタイミング構成をサポートするとき、前記コンポーネントキャリアの第1のサブセットまたは前記コンポーネントキャリアの第2のサブセットのうちの1つまたは複数のために、前記第2のタイミング構成を使用して送信するステップと、
前記コンポーネントキャリアの第1のサブセットまたは前記コンポーネントキャリアの第2のサブセットのうちの1つまたは複数が、前記第1のタイミング構成のみをサポートするとき、各コンポーネントキャリアのために、前記第1のタイミング構成を使用して送信するステップと
をさらに含む、請求項35に記載の方法。
【請求項３７】
前記第2のタイミング構成のためのダウンリンクスケジューリング情報が、物理ダウンリンク制御チャネル(PDCCH)送信においてサポートされ、拡張物理ダウンリンク制御チャネル(ePDCCH)送信においてサポートされない、請求項36に記載の方法。
【請求項３８】
前記第2のタイミング構成のためのダウンリンクスケジューリング情報が、物理ダウンリンク制御チャネル(PDCCH)送信と、拡張物理ダウンリンク制御チャネル(ePDCCH)送信の両方においてサポートされ、前記ePDCCH送信における前記ダウンリンクスケジューリング情報の利用可能なトランスポートブロックサイズ(TBS)が、前記PDCCH送信における利用可能なTBSとは異なる、請求項36に記載の方法。
【請求項３９】
前記第2のタイミング構成を使用して送信する前記ステップが、前記コンポーネントキャリアの第2のサブセットのために、前記第2のタイミング構成を使用して送信するステップと、前記コンポーネントキャリアの第1のサブセットのために、前記第1のタイミング構成を使用して送信するステップとを含み、前記方法が、
前記コンポーネントキャリアの第1のサブセットおよび前記コンポーネントキャリアの第2のサブセットに関連付けられたアップリンク制御情報が、同じアップリンクサブフレームを使用して送信されるべきであると決定するステップと、
並列アップリンク制御チャネル送信において、前記アップリンク制御情報を送信し、同じアップリンク制御チャネルリソース上で、前記アップリンク制御情報を多重化するか、あるいは前記コンポーネントキャリアの第1のサブセットまたは前記コンポーネントキャリアの第2のサブセットのうちの1つのためのアップリンク制御情報をドロップするステップと
をさらに含む、請求項36に記載の方法。
【請求項４０】
前記第1のタイミング構成に少なくとも部分的に基づいて、前記コンポーネントキャリアのセットの前記第1のサブセットのための、CSI報告またはハイブリッド自動再送要求(HARQ)フィードバックのうちの1つまたは複数を構成するステップと、
前記第2のタイミング構成に少なくとも部分的に基づいて、前記コンポーネントキャリアのセットの前記第2のサブセットのための、CSI報告またはHARQフィードバックのうちの1つまたは複数を構成するステップと
をさらに含む、請求項35に記載の方法。
【請求項４１】
複数のハイブリッド自動再送要求(HARQ)プロセスを構成するステップであって、
前記コンポーネントキャリアのセットの前記第1のサブセットのためのHARQフィードバックが、前記コンポーネントキャリアのセットの前記第2のサブセットのためのHARQフィードバックとともに多重化され、
前記コンポーネントキャリアのセットの前記第1のサブセットのためのHARQフィードバックが、第1の物理アップリンク制御チャネル(PUCCH)リソースを使用して送信され、前記コンポーネントキャリアのセットの前記第2のサブセットのためのHARQフィードバックが、第2のPUCCHリソースを使用して送信される、ステップと、
前記コンポーネントキャリアのセットの前記第1のサブセット、もしくは前記コンポーネントキャリアのセットの前記第2のサブセット、または両方のためのHARQフィードバックを送信するステップであって、前記第1のサブセットと前記第2のサブセットの両方のためのHARQフィードバックを送信するステップが、誤りのケースを示す、ステップと
をさらに含む、請求項35に記載の方法。
【請求項４２】
前記ダウンリンク通信および前記応答アップリンク通信が、時分割複信(TDD)フレーム構造を使用して送信され、前記方法が、
前記コンポーネントキャリアのセットの前記第1のサブセットまたは前記第2のサブセットのためのハイブリッド自動再送要求(HARQ)フィードバックのためのアップリンクサブフレームを識別するステップと、
前記セットのうちの少なくとも1つのコンポーネントキャリアのためのダウンリンクサブフレームが、HARQフィードバックのために識別された前記アップリンクサブフレームと一致すると決定するステップと、
前記ダウンリンクサブフレームの間に、前記少なくとも1つのコンポーネントキャリアのためのダウンリンク制御メッセージを監視することなしに、前記アップリンクサブフレームの間に、前記HARQフィードバックを送信するステップと
をさらに含む、請求項35に記載の方法。
【請求項４３】
ダウンリンク通信送信時間間隔(TTI)のために、前記第1のタイミング構成に基づいて、アップリンク制御チャネルリソースインジケータを構成するステップと、
第2のTTIが前記第2のタイミング構成を使用することになると決定するステップと、
前記第2のTTIのために、前記第2のタイミング構成に基づいて、前記アップリンク制御チャネルリソースインジケータを更新するステップと
をさらに含む、請求項1に記載の方法。
【請求項４４】
第1の送信時間間隔(TTI)における送信が、前記第1のTTIに続く第2のTTIにおける情報に依存すると決定するステップと、
前記決定に少なくとも部分的に基づいて、前記第2の時間差を増すために、前記第2のタイミング構成を修正するステップと
をさらに含む、請求項1に記載の方法。
【請求項４５】
前記ダウンリンク通信および前記応答アップリンク通信が、時分割複信(TDD)通信であり、前記方法が、
第1のTDDダウンリンクサブフレームが前記第1のタイミング構成を有すると決定するステップと、
第2のTDDダウンリンクサブフレームが前記第2のタイミング構成を有すると決定するステップと、
ハイブリッド自動再送要求(HARQ)フィードバックの送信のための第3のTDDアップリンクサブフレームを識別するステップと、
前記第3のTDDアップリンクサブフレームにおいて送信されるべき、前記第1のTDDダウンリンクサブフレームもしくは前記第2のTDDダウンリンクサブフレーム、または両方からの、HARQフィードバックを構成するステップと
をさらに含む、請求項1に記載の方法。
【請求項４６】
前記ダウンリンク通信または前記応答アップリンク通信のうちの1つまたは複数が、共有無線周波数スペクトル帯域を使用して送信され、前記方法が、
前記第1の時間差または前記第2の時間差内で前記応答アップリンク通信を送信するための、前記UEの前記能力に少なくとも部分的に基づいて、クロス送信機会スケジューリング構成、またはハイブリッド自動再送要求(HARQ)フィードバックプロセスの数のうちの1つまたは複数を修正するステップ
をさらに含む、請求項1に記載の方法。
【請求項４７】
送信する前記ステップが、前記UEにアップリンク許可を送信するステップを含む、請求項1に記載の方法。
【請求項４８】
送信する前記ステップが、基地局から受信されたアップリンク許可に応答して、アップリンクデータ送信を送信するステップを含む、請求項1に記載の方法。
【請求項４９】
ワイヤレス通信のための装置であって、
送信のために第1のタイミング構成を使用するか、第2のタイミング構成を使用するかを決定するための手段であって、前記第1のタイミング構成が、ダウンリンク通信と応答アップリンク通信との間の第1の時間差を含み、前記第2のタイミング構成が、前記ダウンリンク通信と前記応答アップリンク通信との間の第2の時間差を含み、前記第2の時間差が、前記第1の時間差未満であり、前記第2のタイミング構成が、チャネル状態情報(CSI)を更新するための周期性に関連付けられ、前記決定が、前記第1の時間差または前記第2の時間差内で前記応答アップリンク通信を送信するための、ユーザ機器(UE)の能力に少なくとも部分的に基づく、手段と、
前記決定に基づいて、前記第1のタイミング構成または前記第2のタイミング構成に従って送信するための手段と
を備える装置。
【請求項５０】
システムにおけるワイヤレス通信のための装置であって、前記システムが、
プロセッサと、
前記プロセッサと電子通信しているメモリと、
前記メモリ内に記憶された命令と
を備え、前記命令が、前記プロセッサによって実行されると、前記装置に、
送信のために第1のタイミング構成を使用するか、第2のタイミング構成を使用するかを決定することであって、前記第1のタイミング構成が、ダウンリンク通信と応答アップリンク通信との間の第1の時間差を含み、前記第2のタイミング構成が、前記ダウンリンク通信と前記応答アップリンク通信との間の第2の時間差を含み、前記第2の時間差が、前記第1の時間差未満であり、前記第2のタイミング構成が、チャネル状態情報(CSI)を更新するための周期性に関連付けられ、前記決定が、前記第1の時間差または前記第2の時間差内で前記応答アップリンク通信を送信するための、ユーザ機器(UE)の能力に少なくとも部分的に基づく、決定すること、および
前記決定に基づいて、前記第1のタイミング構成または前記第2のタイミング構成に従って送信すること
を行わせるように動作可能である、装置。
【請求項５１】
前記命令が、前記装置に、
ダウンリンク制御チャネルの共通探索空間において、前記ダウンリンク通信のためのダウンリンク制御情報(DCI)を受信すること、および
前記共通探索空間における前記ダウンリンク通信のための前記DCIの受信に応答して、前記第1のタイミング構成に従って送信すること
を行わせるように動作可能である、請求項50に記載の装置。
【請求項５２】
前記命令が、前記装置に、
ダウンリンク制御チャネルのUE固有探索空間において、前記ダウンリンク通信のためのダウンリンク制御情報(DCI)を受信すること、および
前記UE固有探索空間における前記ダウンリンク通信のための前記DCIの受信に応答して、前記第2のタイミング構成に従って送信すること
を行わせるように動作可能である、請求項50に記載の装置。
【請求項５３】
前記命令が、前記装置に、
前記ダウンリンク通信のためのダウンリンク制御情報(DCI)を受信すること、および、
前記DCIのフォーマットに少なくとも部分的に基づいて、前記第1のタイミング構成または前記第2のタイミング構成に従って送信すること
を行わせるように動作可能である、請求項50に記載の装置。
【請求項５４】
前記命令が、前記装置に、
サブフレーム全体に及ぶ制御チャネルにおいて、前記ダウンリンク通信に関連付けられた制御情報を受信すること、および
前記制御情報の受信に少なくとも部分的に基づいて、前記応答アップリンク通信のために前記第1のタイミング構成を決定すること
を行わせるように動作可能である、請求項50に記載の装置。
【請求項５５】
前記命令が、前記装置に、
サブフレームのシンボルのサブセットに及ぶ制御チャネルにおいて、前記ダウンリンク通信に関連付けられた制御情報を受信すること、および
前記制御情報の受信に少なくとも部分的に基づいて、前記応答アップリンク通信のために前記第2のタイミング構成を決定すること
を行わせるように動作可能である、請求項50に記載の装置。
【請求項５６】
前記命令が、前記装置に、
前記第1の時間差または前記第2の時間差内で前記応答アップリンク通信を送信するための、前記UEの前記能力の指示を、前記装置によって送信すること
を行わせるように動作可能である、請求項50に記載の装置。
【請求項５７】
前記命令が、前記装置に、
前記第1の時間差または前記第2の時間差内で前記応答アップリンク通信を送信するための、前記UEの前記能力の指示を受信すること
を行わせるように動作可能である、請求項50に記載の装置。
【請求項５８】
前記命令が、前記装置に、
アップリンク通信と応答ダウンリンク通信との間の第3の時間差を含む、第3のタイミング構成を決定することであって、前記第3の時間差が、前記第1の時間差未満である、決定すること
を行わせるように動作可能である、請求項50に記載の装置。
【請求項５９】
前記命令が、前記装置に、
前記ダウンリンク通信と前記応答アップリンク通信との間の第3の時間差を含む、第3のタイミング構成を決定することであって、前記第3の時間差が、前記第1の時間差未満である、決定すること
を行わせるように動作可能である、請求項50に記載の装置。
【請求項６０】
前記命令が、前記装置に、
前記第1のタイミング構成または前記第2のタイミング構成を示す、無線リソース制御(RRC)シグナリングを受信すること、および
前記RRCシグナリングに少なくとも部分的に基づいて、複数の送信時間間隔(TTI)のうちの各TTIのために、前記第1のタイミング構成または前記第2のタイミング構成を決定すること
を行わせるように動作可能である、請求項50に記載の装置。
【請求項６１】
前記命令が、前記装置に、
送信のために前記第1のタイミング構成を使用するか、前記第2のタイミング構成を使用するかの決定に少なくとも部分的に基づいて、前記第1のタイミング構成が非同期アップリンクハイブリッド自動再送要求(HARQ)フィードバックに適用されるか、前記第2のタイミング構成が非同期アップリンクHARQフィードバックに適用されるかを決定すること
を行わせるように動作可能である、請求項50に記載の装置。
【請求項６２】
前記命令が、前記装置に、
前記ダウンリンク通信が、共通探索空間においてダウンリンク許可を備えるか、UE固有探索空間においてダウンリンク許可を備えるかに少なくとも部分的に基づいて、同期アップリンクハイブリッド自動再送要求(HARQ)フィードバック方式を使用するか、非同期アップリンクHARQフィードバック方式を使用するかを決定すること
を行わせるように動作可能である、請求項50に記載の装置。
【請求項６３】
前記命令が、前記装置に、
前記第2のタイミング構成に少なくとも部分的に基づいて、ダウンリンク制御チャネル送信における前記応答アップリンク通信のための制御チャネルリソースのロケーションを識別することであって、第1のUE固有オフセットが、前記第1のタイミング構成に関連付けられ、第2のUE固有オフセットが、前記第2のタイミング構成に関連付けられる、識別すること
を行わせるように動作可能である、請求項50に記載の装置。
【請求項６４】
前記ダウンリンク通信が、コンポーネントキャリアのセットを使用して送信され、前記命令が、前記装置に、
前記コンポーネントキャリアのセットの第1のサブセットのために、前記第1のタイミング構成を決定すること、および
前記コンポーネントキャリアのセットの第2のサブセットのために、前記第2のタイミング構成を決定すること
を行わせるように動作可能である、請求項50に記載の装置。
【請求項６５】
前記命令が、前記装置に、
前記コンポーネントキャリアの第1のサブセットおよび前記コンポーネントキャリアの第2のサブセットの各々が、前記第2のタイミング構成をサポートするか否かを決定すること、
前記コンポーネントキャリアの第1のサブセットおよび前記コンポーネントキャリアの第2のサブセットの各々が、前記第2のタイミング構成をサポートするとき、前記コンポーネントキャリアの第1のサブセットまたは前記コンポーネントキャリアの第2のサブセットのうちの1つまたは複数のために、前記第2のタイミング構成を使用して送信すること、ならびに
前記コンポーネントキャリアの第1のサブセットまたは前記コンポーネントキャリアの第2のサブセットのうちの1つまたは複数が、前記第1のタイミング構成のみをサポートするとき、各コンポーネントキャリアのために、前記第1のタイミング構成を使用して送信すること
を行わせるように動作可能である、請求項64に記載の装置。
【請求項６６】
前記命令が、前記装置に、
前記第1のタイミング構成に少なくとも部分的に基づいて、前記コンポーネントキャリアのセットの前記第1のサブセットのための、CSI報告またはハイブリッド自動再送要求(HARQ)フィードバックのうちの1つまたは複数を構成すること、および
前記第2のタイミング構成に少なくとも部分的に基づいて、前記コンポーネントキャリアのセットの前記第2のサブセットのための、CSI報告またはHARQフィードバックのうちの1つまたは複数を構成すること
を行わせるように動作可能である、請求項64に記載の装置。
【請求項６７】
前記命令が、前記装置に、
複数のハイブリッド自動再送要求(HARQ)プロセスを構成することであって、
前記コンポーネントキャリアのセットの前記第1のサブセットのためのHARQフィードバックが、前記コンポーネントキャリアのセットの前記第2のサブセットのためのHARQフィードバックとともに多重化され、
前記コンポーネントキャリアのセットの前記第1のサブセットのためのHARQフィードバックが、第1の物理アップリンク制御チャネル(PUCCH)リソースを使用して送信され、前記コンポーネントキャリアのセットの前記第2のサブセットのためのHARQフィードバックが、第2のPUCCHリソースを使用して送信される、構成すること、および
前記コンポーネントキャリアのセットの前記第1のサブセット、もしくは前記コンポーネントキャリアのセットの前記第2のサブセット、または両方のためのHARQフィードバックを送信することであって、前記第1のサブセットと前記第2のサブセットの両方のためのHARQフィードバックを送信することが、誤りのケースを示す、送信すること
を行わせるように動作可能である、請求項64に記載の装置。
【請求項６８】
前記命令が、前記装置に、
ダウンリンク通信送信時間間隔(TTI)のために、前記第1のタイミング構成に基づいて、アップリンク制御チャネルリソースインジケータを構成すること、
第2のTTIが前記第2のタイミング構成を使用することになると決定すること、および
前記第2のTTIのために、前記第2のタイミング構成に基づいて、前記アップリンク制御チャネルリソースインジケータを更新すること
を行わせるように動作可能である、請求項50に記載の装置。
【請求項６９】
前記命令が、前記装置に、
第1の送信時間間隔(TTI)における送信が、前記第1のTTIに続く第2のTTIにおける情報に依存すると決定すること、および
前記決定に少なくとも部分的に基づいて、前記第2の時間差を増すために、前記第2のタイミング構成を修正すること
を行わせるように動作可能である、請求項50に記載の装置。
【請求項７０】
ワイヤレス通信のためのコードを記憶する非一時的コンピュータ可読記憶媒体であって、前記コードが、
送信のために第1のタイミング構成を使用するか、第2のタイミング構成を使用するかを決定することであって、前記第1のタイミング構成が、ダウンリンク通信と応答アップリンク通信との間の第1の時間差を含み、前記第2のタイミング構成が、前記ダウンリンク通信と前記応答アップリンク通信との間の第2の時間差を含み、前記第2の時間差が、前記第1の時間差未満であり、前記第2のタイミング構成が、チャネル状態情報(CSI)を更新するための周期性に関連付けられ、前記決定が、前記第1の時間差または前記第2の時間差内で前記応答アップリンク通信を送信するための、ユーザ機器(UE)の能力に少なくとも部分的に基づく、決定すること、および
前記決定に基づいて、前記第1のタイミング構成または前記第2のタイミング構成に従って送信すること
を行うように、プロセッサによって実行可能な命令を備える、非一時的コンピュータ可読記憶媒体。